(57)【要約】【課題】制御盤から取り外されたカバーをかごに迅速かつ確実に保持することができるエレベータ装置を提供する。【解決手段】本発明によるエレベータ装置１は、昇降路２内を昇降自在なかご３と、昇降路２内に設置され、着脱自在なカバー４を有し、かご３の昇降を制御する制御盤５とを備えている。制御盤５のカバー４は係止部６を有し、かご３は、カバー４の係止部６に係合自在な係合部１１を有している。制御盤５から取り外されたカバー４の係止部６をかご３の係合部１１に係合させて、カバー４をかご３に保持させるようになっている。【選択図】図２
2011037586.tif 000002
【特許請求の範囲】
【請求項１】
昇降路内を昇降自在なかごと、
昇降路内に設置され、着脱自在なカバーを有し、前記かごの昇降を制御する制御盤と、を備え、
前記制御盤の前記カバーは係止部を有し、
前記かごは、前記カバーの前記係止部に係合自在な係合部を有し、
前記制御盤から取り外された前記カバーの前記係止部を前記かごの前記係合部に係合させて、当該カバーを当該かごに保持させることを特徴とするエレベータ装置。
【請求項２】
前記かごは、上面に設けられた安全柵を有し、
前記安全柵は、少なくとも一対の脚部と、前記各脚部間に連結され、水平方向に延びる手摺部とを含み、
前記かごの前記係合部は、前記安全柵の前記手摺部からなっていることを特徴とする請求項１に記載のエレベータ装置。
【請求項３】
前記カバーは、矩形状に形成され、前記係止部は、上下方向に並んで設置された対向する一対の係止部分を含み、
前記安全柵の各脚部間であって前記手摺部の下方に、水平方向に延びる連結部が連結され、
前記かごの前記係合部は、前記安全柵の前記手摺部および前記連結部からなり、
前記カバーの前記係止部のうち上方の前記係止部分は、前記安全柵の前記手摺部に係合自在となり、下方の前記係止部分は、前記安全柵の前記連結部に係合自在となることを特徴とする請求項２に記載のエレベータ装置。
【請求項４】
前記カバーの前記係止部は、当該カバーの裏面に設けられ、
前記かごの天板の側縁に、上方に開口する凹部が設けられ、
前記かごの前記係合部は、前記かごの前記天板に設けられた前記凹部からなり、
前記カバーの前記係止部を前記かごの前記凹部に係合させて、当該カバーを当該かごの側板に当接させた状態で保持することを特徴とする請求項１に記載のエレベータ装置。
【発明の詳細な説明】
【技術分野】
【０００１】
本発明は、昇降路内を昇降自在なかごと、昇降路内に設置され、着脱自在なカバーを有し、かごの昇降を制御する制御盤とを備えたエレベータ装置に係り、とりわけ、制御盤から取り外されたカバーをかごに迅速かつ確実に保持することができるエレベータ装置に関する。
【背景技術】
【０００２】
従来より、昇降路内を昇降自在であって、上面に安全柵を有するかごと、昇降路内に設置され、着脱自在なカバーを有し、かごの昇降を制御する制御盤とを備えたエレベータ装置が知られている（例えば、特許文献１参照）。このようなエレベータ装置において制御盤の点検などを行う場合、制御盤から取り外されたカバーをかご上に保管することは困難であるため、カバーを最上階のホールに保管し、かご上に点検の作業スペースを確保していた。
【先行技術文献】
【特許文献】
【０００３】
【特許文献１】特開２０００−１４３１２５号公報
【発明の概要】
【発明が解決しようとする課題】
【０００４】
しかしながら、この場合、制御盤から取り外されたカバーは、かご上から最上階のホールまで運ばなければならず、取り外されたカバーを保管するために多くの時間が費やされていた。
【０００５】
また、カバーの保管が適切に行われていない場合には、このカバーが転倒することが考えられる。場合によっては、このホールに訪れたエレベータの利用者が、転倒したカバーによって負傷することも考えられる。
【０００６】
本発明は、このような点を考慮してなされたものであり、制御盤から取り外されたカバーをかごに迅速かつ確実に保持することができるエレベータ装置を提供することを目的とする。
【課題を解決するための手段】
【０００７】
本発明は、昇降路内を昇降自在なかごと、昇降路内に設置され、着脱自在なカバーを有し、前記かごの昇降を制御する制御盤と、を備え、前記制御盤の前記カバーは係止部を有し、前記かごは、前記カバーの前記係止部に係合自在な係合部を有し、前記制御盤から取り外された前記カバーの前記係止部を前記かごの前記係合部に係合させて、当該カバーを当該かごに保持させることを特徴とするエレベータ装置である。
【０００８】
本発明は、前記かごは、上面に設けられた安全柵を有し、前記安全柵は、少なくとも一対の脚部と、前記各脚部間に連結され、水平方向に延びる手摺部とを含み、前記かごの前記係合部は、前記安全柵の前記手摺部からなっていることを特徴とするエレベータ装置である。
【０００９】
本発明は、前記カバーは、矩形状に形成され、前記係止部は、上下方向に並んで設置された対向する一対の係止部分を含み、前記安全柵の各脚部間であって前記手摺部の下方に、水平方向に延びる連結部が連結され、前記かごの前記係合部は、前記安全柵の前記手摺部および前記連結部からなり、前記カバーの前記係止部のうち上方の前記係止部分は、前記安全柵の前記手摺部に係合自在となり、下方の前記係止部分は、前記安全柵の前記連結部に係合自在となることを特徴とするエレベータ装置である。
【００１０】
本発明は、前記カバーの前記係止部は、当該カバーの裏面に設けられ、前記かごの天板の側縁に、上方に開口する凹部が設けられ、前記かごの前記係合部は、前記かごの前記天板に設けられた前記凹部からなり、前記カバーの前記係止部を前記かごの前記凹部に係合させて、当該カバーを当該かごの側板に当接させた状態で保持することを特徴とするエレベータ装置である。
【発明の効果】
【００１１】
本発明によれば、制御盤から取り外されたカバーの係止部が、かごの係合部に係合されて、カバーがかごに保持される。このことにより、制御盤から取り外されたカバーをかごに迅速かつ確実に保持することができる。
【図面の簡単な説明】
【００１２】
【図１】図１は、本発明の第１の実施の形態におけるエレベータ装置の全体構成を示す概略図である。
【図２】図２は、本発明の第１の実施の形態におけるエレベータ装置において、安全柵にカバーを保持した状態を示す図である。
【図３】図３は、図２のＡ−Ａ線断面を示す図である。
【図４】図４は、本発明の第２の実施の形態におけるエレベータ装置において、安全柵にカバーを保持した状態を示す図である。
【図５】図５は、図４のＢ−Ｂ線断面を示す図である。
【図６】図６は、本発明の第３の実施の形態におけるエレベータ装置において、かごの天板にカバーを保持した状態を示す図である。
【図７】図７は、本発明の第３の実施の形態におけるエレベータ装置において、カバーを示す断面図である。
【発明を実施するための形態】
【００１３】
第１の実施の形態
以下、図面を参照して、本発明の実施の形態について説明する。ここで、図１乃至図３は、本発明の第１の実施の形態におけるエレベータ装置を示す図である。
【００１４】
まず、図１によりエレベータ装置１の全体構成について説明する。図１に示すようにエレベータ装置１は、昇降路２内を昇降自在なかご３と、昇降路２内の上方に設置され、かご３の昇降を制御する制御盤５とを備えている。このうち、制御盤５は、盤本体５ａと、この盤本体５ａの前面にボルト（図示せず）等を用いて着脱自在に設けられ、矩形状に形成されたカバー４（図２および図３参照）とを有している。このカバー４の上部に、カバー４の幅方向に渡って、Ｌ字状に形成された係止部６が設けられている。
【００１５】
図１に示すように、かご３に、かご枠７が設けられ、このかご枠７上に、かご３上の最大突起物となるガイドシュー８が設けられている。
【００１６】
また、かご３の上面に、安全柵９が設けられている。この安全柵９は、据付時または点検時等に作業者の安全を確保するためのものであり、通常運転時には、かご３上のガイドシュー８の高さよりも低くなるようにセットされ、据付時または点検時には、かご３上に乗っている作業員の安全が確保される高さとなるようにセット可能に構成されている。
【００１７】
この安全柵９は、図２に示すように、一対の脚部１０と、各脚部１０間の上端に連結され、水平方向に延びる手摺部１１とを含み、手摺部１１が、カバー４の係止部６に係合自在な係合部を構成している。すなわち、かご３の係合部は、安全柵９の手摺部１１からなり、制御盤５の盤本体５ａから取り外されたカバー４の係止部６を手摺部１１に係合させて、カバー４を安全柵９に保持させるようになっている。
【００１８】
次に、このような構成からなる本実施の形態の作用について説明する。
【００１９】
制御盤５の点検作業を行う場合、図１に示すように、まず、作業者はかご３上に乗り、かご３上のガイドシュー８の高さよりも低くなるようにセットされていた安全柵９を、作業員の安全が確保される高さとなるようにセットする。
【００２０】
次に、制御盤５の盤本体５ａの前面にボルト（図示せず）等を用いて取り付けられていたカバー４が取り外される。
【００２１】
この取り外されたカバー４の上部に形成された係止部６を、図２に示すように、安全柵９の手摺部１１に係合させる。このことにより、安全柵９の各脚部１０および手摺部１１によって囲まれる空間を覆うように、カバー４が、かご３、すなわち安全柵９に保持される。
【００２２】
このように本実施の形態によれば、制御盤５の盤本体５ａから取り外されたカバー４の係止部６を、かご３の安全柵９の手摺部１１に係合させて、カバー４が安全柵９に保持される。このことにより、制御盤５の盤本体５ａから取り外されたカバー４を、ホール（図示せず）に運ぶことなく、安全柵９に迅速かつ確実に保持することができる。この結果、制御盤５の点検作業の作業効率を改善することができる。
【００２３】
また、この場合、安全柵９の各脚部１０と手摺部１１とによって囲まれる空間がカバー４によって覆われる。このため、かご３上から昇降路２内に工具などが落下することを抑制することができる。
【００２４】
第２の実施の形態
次に、図４および図５により、本発明の第２の実施の形態におけるエレベータ装置について説明する。
【００２５】
図４および図５に示す第２の実施の形態におけるエレベータ装置において、制御盤のカバーの上方の係止部分が安全柵の手摺部に係合自在となるととともに、下方の係止部分が安全柵の手摺部よりも下方に設けられた連結部に係合自在となる点が主に異なり、他の構成は、図１乃至図３に示す第１の実施の形態と略同一である。なお、図４および図５において、図１乃至図３に示す第１の実施の形態と同一部分には同一符号を付して詳細な説明は省略する。
【００２６】
図５に示すように、カバー４の係止部６は、その上部および下部にカバー４の幅方向に渡って設けられ、上下方向に並んで設置された一対の係止部分６ａ、６ｂを含んでいる。
【００２７】
図４に示すように、安全柵９の各脚部１０間であって手摺部１１の下方に、水平方向に延びる連結部１２が連結されている。手摺部１１の下側に、カバー４の係止部６のうち上方の係止部分６ａに係合自在な上側フック部１３（図５参照）が設けられ、この上側フック部１３がカバー４の上方の係止部分６ａに係合自在な係合部を構成している。また、連結部１２の上側に、カバー４の下方の係止部分６ｂに係合自在な下側フック部１４（図５参照）が設けられ、この下側フック部１４がカバー４の下方の係止部分６ｂに係合自在な係合部を構成している。すなわち、かご３の係合部は、安全柵９の手摺部１１および連結部１２からなり、カバー４の上方の係止部分ａは、安全柵９の手摺部１１に係合自在となり、下方の係止部分６ｂは、安全柵９の連結部１２に係合自在となっている。なお、これら上側フック部１３および下側フック部１４は、カバー４の幅に対応して、手摺部１１および連結部１２にそれぞれ２箇所設けられていることが好ましい。
【００２８】
このことにより、制御盤５の盤本体５ａから取り外されたカバー４の各係止部分６ａ、６ｂを、手摺部１１に設けられた上側フック部１３および連結部１２に設けられた下側フック部１４に係合させて、カバー４を安全柵９に保持させるようになっている。
【００２９】
このように本実施の形態によれば、制御盤５の盤本体５ａから取り外されたカバー４の上方の係止部分６ａが、かご３の安全柵９の手摺部１１に設けられた上側フック部１３に係合し、カバー４の下方の係止部分６ｂが、安全柵９の連結部１２に設けられた下側フック部１４に係合して、カバー４が安全柵９に保持される。このことにより、制御盤５の盤本体５ａから取り外されたカバー４を、ホール（図示せず）に運ぶことなく、安全柵９に迅速かつ確実に保持することができる。この結果、制御盤５の点検作業の作業効率を改善することができる。
【００３０】
また、この場合、安全柵９の手摺部１１と連結部１２との間にカバー４が取り付けられるため、安全柵９の強度を向上させることができる。このことにより、かご３上に乗っている作業者の安全性をより一層高めることができる。
【００３１】
第３の実施の形態
次に、図６および図７により、本発明の第３の実施の形態におけるエレベータ装置について説明する。
【００３２】
図６および図７に示す第３の実施の形態におけるエレベータ装置において、かごの天板の側縁に設けられた凹部に、カバーの裏面に設けられた係止部が係合して、カバーがかごの側板に当接させた状態で保持される点が主に異なり、他の構成は、図１乃至図３に示す第１の実施の形態と略同一である。なお、図６および図７において、図１乃至図３に示す第１の実施の形態と同一部分には同一符号を付して詳細な説明は省略する。
【００３３】
図７に示すように、カバー４の係止部１５は、弾性材料からなり、フック状に形成され、カバー４の裏面であってその上方にアダプタ１６を介して設けられている。なお、このカバー４の係止部１５は、カバー４の幅方向に２箇所設けられていることが好ましい。
【００３４】
図６に示すように、かご３の天板１７の側縁に、上方に開口し、各係止部１５に対応して、カバー４の係止部１５の先端が挿入可能な凹部１８が設けられている。この凹部１８が、カバー４の係止部１５に係合自在なかご３の係合部を構成している。すなわち、かご３の係合部は、かご３の天板１７に設けられた凹部１８からなっている。
【００３５】
このことにより、制御盤５の盤本体５ａから取り外されたカバー４の係止部１５を、天板１７に設けられた凹部１８に係合させて、カバー４をかご３の側板１９の外面に当接させた状態で保持させるようになっている。
【００３６】
このように本実施の形態によれば、制御盤５の盤本体５ａから取り外されたカバー４の係合部１３が、かご３の天板１７に設けられた凹部１８に係合される。このことにより、制御盤５の盤本体５ａから取り外されたカバー４を、ホール（図示せず）に運ぶことなく、迅速かつ確実にかご３の側板１９に当接させた状態で保持することができる。この結果、制御盤５の点検作業の作業効率を改善することができる。
【００３７】
また本実施の形態によれば、制御盤５のカバー４が、かご３の側板１９に当接させた状態で保持されるため、かご３上における作業スペースを確保することができる。
【符号の説明】
【００３８】
１      エレベータ装置
２      昇降路
３      かご
４      カバー
５      制御盤
５ａ    盤本体
６      係止部
６ａ    係止部分
６ｂ    係止部分
７      かご枠
８      ガイドシュー
９      安全柵
１０    脚部
１１    手摺部
１２    連結部
１３    上側フック部
１４    下側フック部
１５    係止部
１６    アダプタ
１７    天板
１８    凹部
１９    側板
【図１】
2011037586.tif 000003
【図２】
2011037586.tif 000004
【図３】
2011037586.tif 000005
【図４】
2011037586.tif 000006
【図５】
2011037586.tif 000007
【図６】
2011037586.tif 000008
【図７】
2011037586.tif 000009